(57)【要約】      （修正有）【課題】使用済みインクカートリッジの、インク充填後ボールで閉鎖されたインク充填孔を確実に且つ安全に開封するための孔あけ治具を提供する。【解決手段】底壁と、ボールによって閉鎖された孔が備えられている上壁２１を有し、概ね直方体状の使用済みインクカートリッジ２０に用いられ、インクの再充填のために前記孔の閉鎖を解除する使用済みインクカートリッジ用孔あけ治具であって、使用済みインクカートリッジ２０の底壁から前記孔を含む上壁２１まで覆い使用済みインクカートリッジ２０を締め付け固定する固定部材と、雄ネジ部を有する棒状部材１３と、前記孔に対応する前記固定部材に設けられ棒状部材１３が挿入可能な雌ネジ部１４と、を備え、前記雌ネジ部１４を通じて棒状部材１３の先端を前記ボールに当接させ、棒状部材１３を回動させながら前記ボールによる閉鎖を解除することを特徴とする。【選択図】図１
0003150918.tif 000002
【実用新案登録請求の範囲】
【請求項１】
底壁とボールによって閉鎖された孔が備えられている上壁とを有し、概ね直方体状の使用済みインクカートリッジに用いられ、前記孔を通じてのインクの再充填のために前記孔の閉鎖を解除する使用済みインクカートリッジ用孔あけ治具であって、
前記使用済みインクカートリッジの底壁から前記孔を含む上壁まで覆い前記使用済みインクカートリッジを締め付け固定する固定部材と、雄ネジ部を有する棒状部材と、前記孔に対応する前記固定部材に設けられ前記棒状部材が挿入可能な雌ネジ部と、を備え、前記雌ネジ部を通じて前記棒状部材の先端を前記ボールに当接させ、前記棒状部材を回動させながら前記ボールによる閉鎖を解除することを特徴とする使用済みインクカートリッジ用
孔あけ治具。
【請求項２】
前記固定部材は、上部が開放されており前記使用済みインクカートリッジの底壁を含む少なくとも底部を収容する概ね直方体状のホルダーと、前記ホルダー及び前記使用済みインクカートリッジを把持すると共に前記雌ネジ部を備えた把持部材と、を有していることを特徴とする請求項１に記載の使用済みインクカートリッジ用孔あけ治具。
【請求項３】
前記ホルダーは底壁と一対の長手方向側壁と残りの一対の側壁と前記底壁から下方に突起して形成された突起部とを有し、前記把持部材は上壁である把持上壁と前記把持上壁の相対する一対の端部から下方に延在して形成された側壁である一対の把持側壁とを備え、さらに、前記把持側壁は、その両下端部に前記突起部と係合する係合部を備えており、前記ホルダーに対して前記把持部材が分離可能であることを特徴とする請求項２に記載の使用済みインクカートリッジ用孔あけ治具。
【考案の詳細な説明】
【技術分野】
【０００１】
本考案は、使用済みインクカートリッジの再利用を図るために用いられる孔あけ治具であって、より詳細には、前記使用済みインクカートリッジへのインクの再充填のために前記しよう済みインクカートリッジに設けられた孔に収容されたボールによる前記孔の閉鎖を解除するために用いられる孔あけ治具に関する。
【背景技術】
【０００２】
プリンタによる印字のために本体がプラスチックのインクカートリッジが用いられる。このインクカートリッジとしては、その内部にインクを充填するために設けられた孔と、インクの充填後、孔内に配置又は収容され孔を閉鎖するボールとを有するものがある。近年の使用済みインクカートリッジは、このボールもプラスチックであるが、このボールの直径よりやや狭い孔に、このボールが押し込まれて孔が強固に閉鎖され再使用が困難になってきている。
【０００３】
一方、孔のボールによる閉鎖を解除する治具に関して実用新案登録文献１がある。この実用新案登録文献１には「…ボールが収容され、該ボールにより閉鎖されかつカバーフィルムで覆われた孔を有する使用済みのプリンタ用インクカートリッジへの前記孔を通してのインクの再充填のために前記孔を開放する用具」について開示され、さらに、「棒状部はそれに連なる板状部を有する」と記載され、その図１には、棒状部及び板状部を備えた用具１２が記載されている。また、上記用具の使い方として、「前記板状部を例えば机上に置き、これにより上方に向けられた棒状部に向けてこれを受け入れるように前記カートリッジの孔を近付けることができる。これによれば、前記カートリッジを前記用具に押し付けることにより、前記用具を前記カートリッジに押し付ける場合と比べて、比較的容易に、前記孔の開放作業を行うことができる。」と記載されている。
【０００４】
一般に、インクカートリッジは、通常、プラスチック材料で形成されているところ、複数回の使用に耐えるに十分な強度を有する。従って、インクの消費によってインクカートリッジが使用済みとされた後においても、インクを再充填することによりこれを再使用に供することは、資源の有効利用、環境保全等に資すると考えられる。
【０００５】
【特許文献１】実用新案登録第３１０２９２９号公報
【考案の開示】
【考案が解決しようとする課題】
【０００６】
上記文献１の図１の状態でインクカートリッジを上部から手で押圧すると、インク充填孔とボールの固着が強固であるため容易にボールが外れなかった。又、押圧力を増すと、インクカートリッジを水平を維持できずに傾いてしまい、ボール部に十分な押圧力がかからないためボールを下方に落とし込むことができないことがあった。また、手で押圧した時にインクカートリッジが傾くことによって、手が滑って手が台座にあたり手に傷を負うこともあった。
【０００７】
本考案は、このような観点から、上記文献１では閉鎖を開放できないような使用済みインクカートリッジの再利用を図るために用いられる孔あけ治具を提供するものである。本考案は、インク充填後ボールで強固に閉鎖されたインク充填孔を確実に且つ安全に開封するための使用済みインクカートリッジ用孔あけ治具を提供するものである。
【課題を解決するための手段】
【０００８】
本考案は、上記課題を解決するための使用済みインクカートリッジの孔あけ治具であって、その技術的特徴は次のとおりである。
（１）底壁とボールによって閉鎖された孔が備えられている上壁とを有し、概ね直方体状の使用済みインクカートリッジに用いられ、前記孔を通じてのインクの再充填のために前記孔の閉鎖を解除する使用済みインクカートリッジ用孔あけ治具であって、前記使用済みインクカートリッジの底壁から前記孔を含む上壁まで覆い前記使用済みインクカートリッジを締め付け固定する固定部材と、雄ネジ部を有する棒状部材と、前記孔に対応する前記固定部材に設けられ前記棒状部材が挿入可能な雌ネジ部と、を備え、前記雌ネジ部を通じて前記棒状部材の先端を前記ボールに当接させ、前記棒状部材を回動させながら前記ボールによる閉鎖を解除することを特徴とする使用済みインクカートリッジ用孔あけ治具。
【０００９】
（２）前記固定部材は、上部が開放されており前記使用済みインクカートリッジの底壁を含む少なくとも底部を収容する概ね直方体状のホルダーと、前記ホルダー及び前記使用済みインクカートリッジを把持すると共に前記雌ネジ部を備えた把持部材と、を有していることを特徴とする（１）に記載の使用済みインクカートリッジ用孔あけ治具。
（３）前記ホルダーは底壁と一対の長手方向側壁と残りの一対の側壁と前記底壁から下方に突起して形成された突起部とを有し、前記把持部材は上壁である把持上壁と前記把持上壁の相対する一対の端部から下方に延在して形成された側壁である一対の把持側壁とを備え、さらに、前記把持側壁は、その両下端部に前記突起部と係合する係合部を備えており、前記ホルダーに対して前記把持部材が分離可能であることを特徴とする（２）に記載の使用済みインクカートリッジ用孔あけ治具。
【考案の効果】
【００１０】
本考案の請求項１によれば、使用済みインクカートリッジを底壁から上壁まで覆って締
め付け固定した状態で、固定部材の雌ネジ部を通じて雄ネジ部を有する棒状部材を前記ボ
ールに当接させて、回動させながら前記ボールに押圧力を加えることができる。固定部材
の一方に形成された雌ネジ部に挿入された棒状部材を手で回動させることによって、棒状
部材が前進してボールに加わる押圧力は、固定部材の他方において、固定部材で締め付けられた使用済みインクカートリッジの底面に対する逆向きの力となって、力が相殺される。つまり、ボールには押圧力がかかるのでインク充填孔からボールは除去されるが、固定部材で締め付け固定された使用済みインクカートリッジを一方向に押し付ける力は発生しないので、回動力を加えたときに、孔あけ治具自体が倒れたり、力を加えた手に怪我
をするというような不都合な事態は発生しない。即ち、棒状部材の回動力をネジの原理によって、インク充填部に固着されたボールに対するゆっくりとした押圧力に変換したことが、本考案の特筆すべき利点である。
【００１１】
本考案の請求項２によれば、少なくとも使用済みインクカートリッジ底部を確実にホールドして、前記ホルダー及び前記使用済みインクカートリッジを把持するので、操作性、確実性が更に向上する。
【００１２】
本考案の請求項３によれば、前記固定部材を使用済みインクカートリッジの底面全体を覆うホルダーと、ホルダーとの係合部を有し棒状部材を固定する把持部材に分離することによって、前記請求項１について記載した本孔あけ治具の効果を損なうことなく、使用済みインクカートリッジを本孔あけ治具に装着し易くなり、また持ち運びもし易くなる、という利点が生じる。
【００１３】
本考案の前記係合部を前記把持側壁の下端から内側方向に鉤状に形成することで、把持部材の係合部は、把持側壁の下端から内側方向に、鉤状に形成されていることによって、ホルダーの側壁方向から把持部材を摺動させて容易に係合部と突起部を係合できる、という利点が生じる。
【００１４】
本考案の前記雌ネジ部を前記ホルダーに装着された使用済みインクカートリッジの前記孔の鉛直上方の前記把持上壁に形成すれば、棒状部材のネジ込みによる押圧力が、該孔のボールの抜け出る方向に対して最も強くかかり、ボールを使用済みインクカートリッジ内に落とし込み易い、という利点が生じる。
【００１５】
本考案の前記棒状部材の上端部に把手を形成すれば、棒状部材に対する回動力を与え易く、ネジ込みを容易に行うことができ、該ボールを使用済みインクカートリッジ内に容易に落とし込むことができる、という利点が生じる。
【考案を実施するための最良の形態】
【００１６】
以下、図面を参照して、本考案の実施の形態について説明する。なお、各図において、互いに同一または相当する装置には同一符号を付し、重複した説明は省略する。
【００１７】
図１は、実施形態としての本考案の孔あけ治具１に、使用済みインクカートリッジ２０を装着した状態の上方斜視図である。使用済みインクカートリッジ２０は孔あけ治具１のホルダーに収容され、把持部材１０によって上部または側方に抜け出ないように把持され安定して固定されている。図１の状態において把手１５を廻して、棒状部材１３を雌ネジ部１４を通じてインク充填孔２２（図４参照）に挿入し、使用済みインクカートリッジ２０の上壁２１に形成されたインク充填孔２２（図４参照）を閉鎖しているボール２３（図４参照）を押圧する。
【００１８】
図２は、実施形態としての本考案の孔あけ治具１全体の上方斜視図である。ホルダー２は、底壁３と一対の長手方向側壁４ａ及び４ｂと一対の側壁５ａ及び５ｂとからなり、使用済みインクカートリッジ２０（図２参照）の下部は、底壁３と一対の長手方向側壁４ａ及び４ｂと一対の側壁５ａ及び５ｂと接触して、安定して固定される。
【００１９】
把持部材１０は、把持上壁１１と、把持側壁１２ａ及び１２ｂと、係合部１６ａ及び１６ｂ（図７参照）からなり、把持上壁１１は、上端に把手１５が形成された棒状部材１３と該棒状部材１３がネジ込み挿入される雌ネジ部１４とを有する。把持部材１０は図２の右方向、即ちホルダーの側壁５ａ側から挿入され、把持側壁１２ａ及び１２ｂがホルダー底壁に形成された当接部８ａ及び８ｂ（図５、図６参照）に当接して、係合部１６ａ（図７参照示）及び１６ｂ（図７参照）とホルダー２の突起部６ａ及び６ｂ（図５参照）が係合する。
【００２０】
図３は、ホルダー２の上方斜視図である。ホルダー２の底壁３（図２及び図３参照）下側に図２では不図示であった突起部６ａが明示されている。
【００２１】
図４は、ホルダー２に使用済みインクカートリッジ２０が装着された状態の上方斜視図である。使用済みインクカートリッジの上壁２１に、ボール２３で閉鎖されたインク充填孔２２がある。使用済みインクカートリッジ２０はホルダー２に安定的に装着される。
【００２２】
図５はホルダー２の底壁３を裏側から見た上方斜視図である。ホルダー２は、底壁３から長手方向側壁４ａ及び４ｂに平行に板状に突起した突起部６ａ及び６ｂと、突起部６ａ及び６ｂの側壁５ａ側の端部は外側に広まったテーパー状に形成されたテーパー部６ａｔ及び６ｂｔが形成され、突起部６ａ及び６ｂの端部に突起部６ａ及び６ｂと直交して底壁３から板状に突起した、把持部材１０の係合部１６ａ及び１６ｂを当接させる当接部８ａ及び８ｂが形成されている。また、突起部６ａ及び６ｂの内側に、底壁３から突起部６ａ及び６ｂに平行に板状に突起した摺動突起部７ａ及び７ｂが形成され、摺動突起部７ａ及び７ｂの、当接部８ａ及び８ｂと反対側の端部は、外側に広がるテーパー状に形成されたテーパー部７ａｔ及び７ｂｔが形成されている。把持部材１０の係合部は１６ａ（図７参照）は突起部６ａと摺動突起部７ａの間に、把持部材１０の係合部は１６ｂ（図７参照）は突起部６ｂと摺動突起部７ｂの間に、摺動して挿入され、夫々当接部８ａ及び８ｂに当接して係合される。テーパー部６ａｔ、６ｂｔ及びテーパー部７ａｔ、７ｂｔによって、把持部材１０の係合部１６ａ、１６ｂを、突起部６ａ，６ｂと８ａ，８ｂの間に摺動して挿入し易くできる。
【００２３】
側壁５ａ側の端部に固定座９が形成され、また使用済みインクカートリッジ２０のインク吐出口収容部３０が使用済みインクカートリッジ２０の吐出口２５に対応させて形成される。固定座９と、インク吐出口収容部２４と、当接部８ａ及び８ｂと、摺動突起部７ａ及び７ｂの、底壁３の鉛直下方への突起高さは同一であって、本孔あけ治具を図１のように正常な姿勢にして平板上に置いた時に、安定した姿勢を維持できので、孔あけ操作をやり易い。
【００２４】
図６は、使用済みインクカートリッジ２０が孔あけ治具１に装着された状態のホルダー２の裏側からの上方斜視図である。ホルダー２と把持部材１０が使用済みインクカートリッジ２０を安定的に保持している。
【００２５】
図７は、図１のＡ−Ａ断面図である。使用済みインクカートリッジ２０が本孔あけ治具１に装着され、インク充填孔２２に棒状部材１３が挿入されて棒状部材１３の先端部１３ｂがインク充填孔２２を閉鎖するボール２３に当接している。また、把持部材１０の係合部１６ａ及び１６ｂが、当接部８ａ及び８ｂとホルダー１０の底壁３、更に突起部６ａ及び６ｂに当接して係合され、把持上壁１１が使用済インクカートリッジ２０の上壁に当接して、使用済みインクカートリッジ２０全体が動かないように確実に孔あけ治具に固定されている。
【００２６】
図８は、ボール２３が落下した状態の図１のＡ−Ａ断面図である。使用済みインクカートリッジ２０は、上壁２１を含む本体がプラスチック製であって、ボール２３もまたプラスチックであり、ボール２３の直径よりやや狭いインク充填孔２２に、ボール２３が押し込まれてインク充填孔が閉鎖されている。本孔あけ治具によってインク充填孔２２のボール２３は、把手１５を回転させることによって、棒状部材１３を充填孔２２にネジ込まれて図７のように鉛直下方に押圧され、インク充填孔とボールの接触部周辺のプラスチックが変形させられて図８のように落下し、インク充填孔２２の閉鎖が解除される。
【００２７】
図８はホルダーを下側、把手１５を上にして操作する状態を示したが、本考案は棒状部材１３の回動によってボールに押圧力を加えるので、ホルダーと把手１５を左右横方向ににして操作するなど、どのような姿勢で操作しても容易にボール２３を解除することができる。
【００２８】
本実施例から分かるように、その技術的特徴は次のとおりである。
（１）底壁とボールによって閉鎖された孔が備えられている上壁とを有し、概ね直方体状の使用済みインクカートリッジに用いられ、前記孔を通じてのインクの再充填のために前記孔の閉鎖を解除する使用済みインクカートリッジ用孔あけ治具であって、前記使用済みインクカートリッジの底壁から前記孔を含む上壁まで覆い前記使用済みインクカートリッジを締め付け固定する固定部材と、雄ネジ部を有する棒状部材と、前記孔に対応する前記固定部材に設けられ前記棒状部材が挿入可能な雌ネジ部と、を備え、前記雌ネジ部を通じて前記棒状部材の先端を前記ボールに当接させ、前記棒状部材を回動させながら前記ボールによる閉鎖を解除することを特徴とする使用済みインクカートリッジ用孔あけ治具。
（２）前記固定部材は、上部が開放されており前記使用済みインクカートリッジの底壁を含む少なくとも底部を収容する概ね直方体状のホルダーと、前記ホルダー及び前記使用済みインクカートリッジを把持すると共に前記雌ネジ部を備えた把持部材と、を有していることを特徴とする（１）に記載の使用済みインクカートリッジ用孔あけ治具。
（３）前記ホルダーは底壁と一対の長手方向側壁と残りの一対の側壁と前記底壁から下方に突起して形成された突起部とを有し、前記把持部材は上壁である把持上壁と前記把持上壁の相対する一対の端部から下方に延在して形成された側壁である一対の把持側壁とを備え、さらに、前記把持側壁は、その両下端部に前記突起部と係合する係合部を備えており、前記ホルダーに対して前記把持部材が分離可能であることを特徴とする（２）に記載の使用済みインクカートリッジ用孔あけ治具。
【００２９】
上記技術特徴（１）によれば、使用済みインクカートリッジを底壁から上壁まで覆って締め付け固定した状態で、固定部材の雌ネジ部を通じて雄ネジ部を有する棒状部材を前記ボールに当接させて、回動させながら前記ボールに押圧力を加えることができる。固定部材の一方に形成された雌ネジ部に挿入された棒状部材を手で回動させることによって、棒状部材が前進してボールに加わる押圧力は、固定部材の他方において、固定部材で締め付けられた使用済みインクカートリッジの底面に対する逆向きの力となって、力が相殺される。つまり、ボールには押圧力がかかるのでインク充填孔からボールは除去されるが、固定部材で締め付け固定された使用済みインクカートリッジを一方向に押し付ける力は発生しないので、回動力を加えたときに、孔あけ治具自体が倒れたり、力を加えた手に怪我をするというような不都合な事態は発生しない。即ち、棒状部材の回動力をネジの原理によって、インク充填部に固着されたボールに対するゆっくりとした押圧力に変換したことが、本考案の特筆すべき利点である。
【００３０】
上記技術特徴（２）によれば、少なくとも使用済みインクカートリッジ底部を確実にホールドして、前記ホルダー及び前記使用済みインクカートリッジを把持するので、操作性、確実性が更に向上する。
【００３１】
上記技術特徴（３）によれば、前記固定部材を使用済みインクカートリッジの底面全体を覆うホルダーと、ホルダーとの係合部を有し棒状部材を固定する把持部材に分離することによって、前記請求項１について記載した本孔あけ治具の効果を損なうことなく、使用済みインクカートリッジを本孔あけ治具に装着し易くなり、また持ち運びもし易くなる、という利点が生じる。
【００３２】
本実施例では、前記係合部を前記把持側壁の下端から内側方向に鉤状に形成することで、把持部材の係合部は、把持側壁の下端から内側方向に、鉤状に形成されていることによって、ホルダーの側壁方向から把持部材を摺動させて容易に係合部と突起部を係合できる、という利点が生じる。
【００３３】
本実施例では、前記雌ネジ部を前記ホルダーに装着された使用済みインクカートリッジの前記孔の鉛直上方の前記把持上壁に形成しているので、棒状部材のネジ込みによる押圧力が、該孔のボールの抜け出る方向に対して最も強くかかり、ボールを使用済みインクカートリッジ内に落とし込み易い、という利点が生じる。
【００３４】
本実施例では、前記棒状部材の上端部に把手を形成しているので、棒状部材に対する回動力を与え易く、ネジ込みを容易に行うことができ、該ボールを使用済みインクカートリッジ内に容易に落とし込むことができる、という利点が生じる。
【図面の簡単な説明】
【００３５】
【図１】本考案の孔あけ治具１に、使用済みインクカートリッジ２０を装着した状態の上方斜視図である。
【図２】本考案の孔あけ治具１全体の上方斜視図である。
【図３】ホルダー２の上方斜視図である。
【図４】ホルダー２に使用済みインクカートリッジ２０が装着された状態の上方斜視図である。
【図５】ホルダー２の底壁３を裏側から見た上方斜視図である。
【図６】使用済みインクカートリッジ２０が孔あけ治具１に装着された状態のホルダー２の裏側から見た上方斜視図である。
【図７】図１のＡ−Ａ断面図である。
【図８】ボール２３が落下した状態の図１のＡ−Ａ断面図である。
【符号の説明】
【００３６】
１  孔あけ治具
２  インクカートリッジホルダー
３  底壁
４ａ、４ｂ  長手方向側壁
５ａ，５ｂ  側壁
６ａ、６ｂ  突起部
７ａ，７ｂ  摺動突起部
８ａ、８ｂ  当接部
９  固定台座
１０  把持部材
１１  把持上壁
１２  把持側壁
１３  棒状部材
１４  雌ネジ部
１５  把手
２０  使用済みインクカートリッジ
２１  上壁
２２  インク充填孔
２３  ボール
２４  インク吐出口収容部        
【図１】
0003150918.tif 000003
【図２】
0003150918.tif 000004
【図３】
0003150918.tif 000005
【図４】
0003150918.tif 000006
【図５】
0003150918.tif 000007
【図６】
0003150918.tif 000008
【図７】
0003150918.tif 000009
【図８】
0003150918.tif 000010